(57)【要約】【課題】エラーに対するメッセージ内容を自由に追加設定できる。【解決手段】エラーリストの中からエラーメッセージにさらに追加して再定義したいエラー名称を選択し、選択したエラーメッセージに加えて、ユーザの意思に基づいて選んだメッセージをユーザ定義メッセージとして設定する。ユーザ定義メッセージはエラー名称やエラーメッセージにリンクさせて保存される。  例えば、「デバイスａのファンが停止しました。」というエラーメッセージに対して例えば、「システム管理課の鈴木さんに電話してください。」と言うようなユーザ独自のメッセージを追加する。これで、迅速な復旧処理を実現できる。【選択図】        図８
2006221276.tif 000002
【特許請求の範囲】
【請求項１】
情報伝送システムを構築する複数のサイトに設けられた情報関連機器に対する監視・制御用装置であって、
監視・制御対象機器である複数の情報関連機器からのエラー情報の入力手段と、
エラーメッセージが格納されたテーブルを照合して上記エラー情報に関連したエラーメッセージを出力する手段と、
上記エラー情報とエラーメッセージをそれぞれ表示する手段と、
特定のエラー情報に対するユーザ定義メッセージの設定手段とを有し、
このユーザ定義メッセージは上記エラー情報にリンクして保存されると共に、上記エラー情報にリンクしたユーザ定義メッセージが存在するときは、上記エラー情報と共にユーザ定義メッセージを表示するようにした
ことを特徴とする監視・制御用装置。
【請求項２】
上記ユーザ定義メッセージは、エラー対処内容である
ことを特徴とする請求項１記載の監視・制御用装置。
【請求項３】
上記ユーザ定義メッセージに関連したエラー情報は、エラーリストより選択できる
ことを特徴とする請求項１記載の監視・制御用装置。
【請求項４】
上記ユーザ定義メッセージの設定手段に加えて、特定のエラーが発生したとき、外部機器を制御するための制御情報を設定する設定手段が設けられた
ことを特徴とする請求項１記載の監視・制御用装置。
【請求項５】
上記外部機器は、警告灯や電話自動発呼装置である
ことを特徴とする請求項４記載の監視・制御用装置。
【発明の詳細な説明】
【技術分野】
【０００１】
この発明は映像情報などの情報伝送システムに適用して好適な監視・制御用装置に関する。詳しくは、監視対象となっている情報関連機器のエラー情報に対して、そのエラー内容やエラー対処内容などを分かり易く再定義できるようにして、エラーが発生したときはそのエラー情報（エラーが発生した機器名など）と共に、ユーザ定義メッセージが同時に表示されるようにして、エラーに対する対処などを迅速に行えるようにしたものである。
【背景技術】
【０００２】
複数のサイト（拠点）を経由して、それぞれのサイトで付加された情報（映像情報など）を別のサイトに集中させた後、取捨選択されたこの情報を配信先（放送局など）に配信したり、分配する情報伝送システムが知られている。
【０００３】
その好適なサイトとしては、通信会社が所有するサイトなどが考えられる。それぞれのサイトで映像情報などが制作され、制作されたこれらの映像情報（１チャンネル分若しくは複数チャンネル分）を多重伝送すると共に、多重されたこれらの情報を分離して必要な情報のみをさらに別のサイトに配信することになる。このような情報伝送システムでは、各サイトに設けられた映像関連機器（監視・制御対象機器であって、以下デバイスともいう）が正常に稼働しているかどうかなどの稼働状態の監視や、各サイトでの伝送すべき情報の選択およびその制御処理を行うための監視・制御用端末（監視・制御用装置）が各サイトに設けられている。
【０００４】
そのうちでも特にサイトに設けられた複数のデバイスの稼働状態を監視し、エラーなどが発生したときは、どのサイトの、どのデバイスが、どのようなエラーになったかなどの情報は、監視・制御用装置の画面に表示されるようになっている。
【０００５】
例えば、サイトＡに設けられデバイスのうち、デバイスａに設けられたファンが何らかの原因で停止してしまったようなときは、「デバイスａのファンが停止しました。」というエラーメッセージ（エラー情報）が表示される。
【０００６】
このエラーを起こした監視対象機器と、エラーに対応したエラーコード（エラーＩＤ）やエラーメッセージなどのエラー情報表示に関する公知例としては、特許文献１〜３などが知られている。
【０００７】
特許文献１は、エラーコードを外部サービスサイトが応答し易い形式に変換する技術に関するものである。特許文献２は、エラーをグループ化して記憶しておき、グループの優先順位にしたがってエラー表示の指示を行うようにした技術に関する。そして、特許文献３は複数のエラー判定がなされたときには最も優先順位の高いエラー内容のエラーコードのみを出力すると共に、ユーザの環境に応じた出力様式を設定することで、ユーザのみに詳細な結果を表示し、それ以外の者には別の出力形式で表示することができるようにした技術に関する。
【０００８】
【特許文献１】特開２００２−３１２５１３号公報
【特許文献２】特開２００２−２３２６２６号公報
【特許文献３】特開２０００−２２１１９８号公報
【発明の開示】
【発明が解決しようとする課題】
【０００９】
ところで、特許文献１〜３には、その何れにも発生したエラーのうち、特定のエラーに対しては、このエラー名称に対するエラーメッセージの他に、発生したエラーに対する対処方法などを分かり易く表示する手法は開示されていない。
【００１０】
例えば、ファン停止というエラーに対して、予め設定されているエラーメッセージが「デバイスａのファンが停止しました。」という内容であったとき、このファン停止に対して伝送システム管理者（システムオペレータなど）が、何を行うべきか、その対処方法が簡単に判明すれば、エラーに対する復旧処理などを迅速に行うことができることになる。その結果、この種情報伝送システムの管理者としては、特にその伝送システムに慣れた技術者でなくとも管理運営することができるメリットがある。
【００１１】
上述した例では、「デバイスａのファンが停止しました。」というエラーメッセージに対して例えば、「システム管理課の鈴木さんに電話してください。」と言うようなユーザ独自のメッセージを表示することができれば、システム管理者は迷うことなくシステム管理課の鈴木さんに連絡をとることができ、それだけエラーに対する復旧作業を迅速に行うことができる。
【００１２】
なお、ここに言うエラー情報とは、エラーを起こした監視対象機器（情報関連機器）の名称（デバイス名称とも言う）、エラーＩＤおよびこのエラーコードに関連するエラーメッセージなどを含む概念である。
【００１３】
そこで、この発明はこのような従来の課題を解決したものであって、特に特定のエラーに対して、ユーザ独自のメッセージ（ユーザ定義メッセージ）を任意に追加して設定できるようにすることで、エラーの対処を迅速に行えるようにした情報伝送システムに適用できる監視・制御用装置を提案するものである。
【課題を解決するための手段】
【００１４】
上述の課題を解決するため、請求項１に記載したこの発明に係る監視・制御用装置では、情報伝送システムを構築する複数のサイトに設けられた情報関連機器に対する監視・制御用装置であって、
監視・制御対象機器である複数の情報関連機器からのエラー情報の入力手段と、
エラーメッセージが格納されたテーブルを照合して上記エラー情報に関連したエラーメッセージを出力する手段と、
上記エラー情報とエラーメッセージをそれぞれ表示する手段と、
特定のエラー情報に対するユーザ定義メッセージの設定手段とを有し、
このユーザ定義メッセージは上記エラー情報にリンクして保存されると共に、上記エラー情報にリンクしたユーザ定義メッセージが存在するときは、上記エラー情報と共にユーザ定義メッセージを表示するようにしたことを特徴とする。
【００１５】
この発明では、システム設定メニューの中のエラー設定メニュー画面からエラーリストを選択する。このエラーリストは監視対象となっているサイトに備えられた情報関連機器に関するものである。例えば映像伝送システムであるときは、映像関連機器（エンコーダやスイッチング手段など）がこの情報関連機器に相当する。
【００１６】
エラーリストの中からさらに追加して再定義したいエラー名称を選択し、選択したエラーメッセージに加えて、ユーザの意思に基づいて選んだメッセージをユーザ定義メッセージとして設定する。ユーザ定義メッセージはエラー名称やエラーメッセージにリンクさせて保存される。
【００１７】
例えば、「デバイスａのファンが停止しました。」というエラーメッセージに対して例えば、「システム管理課の鈴木さんに電話してください。」と言うようなユーザ独自のメッセージを追加する。そうすると、デバイスａのファンが停止したときには、「デバイスａのファンが停止しました。」というエラーメッセージの他に、ユーザが定義した「システム管理課の鈴木さんに電話してください。」というユーザ定義メッセージが同時に表示される。これで、迅速な復旧処理を実現できる。
【００１８】
また、特定のエラーが発生したときには、情報伝送システムを管理する管理棟に警告灯（例えば回転灯）などを置き、メッセージのユーザ定義設定と同じように、この警告灯などを外部制御機器として設定し登録しておく。同時にエラーが発生したときには、警告灯を点灯させ、さらにはそれが回転灯であるときには同時に回転駆動させるようにしておく。
【００１９】
そうすると、特定のエラー例えば上述したようにファンが停止したときには外部制御のためのトリガーが発生して、室内の警告灯が点灯し、そして回転制御処理が行われる。
【００２０】
ユーザ定義メッセージや外部制御機器の特定などは、何れもシステム設定画面上で設定（環境設定）すればよいので、ソフトウエア自体をカスタマイズする必要はなくなり、それによってユーザ独自の運用が可能になる。
【発明の効果】
【００２１】
この発明では、特定のエラー項目に対して、エラーメッセージの他にユーザ独自のユーザ定義メッセージを追加できるようにしたものである。
【００２２】
これによれば、エラーメッセージが分かりにくいようなときは、ユーザ独自の表現で分かり易く再定義することもできれば、発生したエラーに対する対処方法や対処内容などをユーザ定義メッセージとしてシステム設定画面を見ながら設定することができる。
【００２３】
これによって、どのようなエラーが発生したのかを間違うことなく確実に把握できると共に、エラーに対する対処・復旧方法などをユーザ定義メッセージとして表示できるから、エラーに対して迅速に対処できる実益を有する。
【００２４】
さらに、制御すべき外部機器をもシステム設定画面を利用して設定できるから、ソフトウエア自体をカスタマイズ化する必要がない。そのため、ソフトウエア開発時間、開発コストなどの大幅な削減を図れる。
【発明を実施するための最良の形態】
【００２５】
続いて、この発明に係る監視・制御用装置の好ましい実施例を図面を参照して詳細に説明する。
【実施例１】
【００２６】
図１はこの発明に係る監視・制御用装置２０を映像情報などの情報伝送システム１０に適用したときのシステム構成図を示す。図では、生成された映像を送出したり、映像を単に中継したりする映像制作・送出サイト（拠点）が複数存在し、それらから送出された映像などの情報を、例えば通信ケーブルを用いて多重伝送する。そして、最終目的のサイトに到達した情報を分離して、目的のところに配信するようなシステムとして構築されている情報伝送システム１０に適用した場合である。
【００２７】
図１の例では、３つのサイト１０Ａ、１０Ｂ、１０Ｃが映像制作・送出サイトとして機能する。これら複数のサイト１０Ａ〜１０Ｃは何れも同一構成であるので、その具体的構成についてはサイト１０Ａ（サイトＡ）のみ図示してある。
【００２８】
サイト１０Ａは、複数の映像関連機器を有する。これら複数の映像関連機器は何れもこの発明における監視・制御の対象となっている機器であることから、以下これらを監視・制御対象機器として説明する。そしてその全体を監視・制御対象機器群１００Ａとして示す。
【００２９】
監視・制御対象機器群１００Ａとして、この例ではトランスポートストリーム（ＴＳ）データに対するスイッチャー（ＴＳＳＷ）１０６Ａ，４つのエンコーダ１１０Ａ〜１１６Ａ、２つのマルチプレクサー１２０Ａ，１２２ＡおよびＮＩＵ（Network Interface Unit）で構成された２つのデータ変換手段１３０Ａ，１３２Ａを例示する。
【００３０】
まず、この例ではサイト内部で制作されたデジタル化された映像信号（例えば高精細度映像信号ＨＤＴＶと、標準映像信号ＳＤＴＶ）の入力系１０２Ａと、外部サイトから入力する、デジタル化された映像信号（ＨＤＴＶ／ＳＤＴＶ）の入力系１０４Ａを有する。内部生成映像信号はそれぞれ２チャンネルあって、２チャンネル分の高精細度映像信号ＨＤＴＶ−１，ＨＤＴＶ−２と、２チャンネル分の標準映像信号ＳＤＴＶ−１，ＳＤＴＶ−２および外部映像信号ＨＤＴＶ−Ａ，ＳＤＴＶ−Ａがそれぞれビデオスイッチャー１０６Ａに供給される。
【００３１】
このビデオスイッチャー１０６Ａで希望する映像信号が選択される。この例では高精細度映像信号が２チャンネル分選択され、標準映像信号も同じく２チャンネル分だけ選択されるようになされている。
【００３２】
選択されたこれら映像信号はそれぞれ対応するエンコーダ（ＨＤ用エンコーダとＳＤ用エンコーダ）１１０Ａ、１１２Ａおよび１１４Ａ，１１６Ａに供給されてデータの圧縮処理が施される。この例ではＭＰＥＧ（Moving Picture Experts Group）形式の圧縮データとなされる。
【００３３】
圧縮された２チャンネル分の映像信号は第１のマルチプレクサー１２０Ａにおいて、高精細度の映像信号ＨＤＴＶと標準の映像信号ＳＤＴＶとが多重されて１チャンネルの映像信号となされる。同様に、第２のマルチプレクサー１２２Ａにおいても、高精細度の映像信号ＨＤＴＶと標準映像信号ＳＤＴＶとが多重されて、１チャンネル分の映像信号となされる。
【００３４】
マルチプレクスされた高精細度用および標準用の各映像信号はさらにデータ変換用のＮＩＵ１３０Ａ，１３２Ａに供給されて、この例ではＡＴＭ（Asynchronous Transfer Mode）形式の伝送信号に変換される。このＡＴＭ形式の伝送信号ＳＡａ、ＳＡｂがサイト１０Ａより出力される最終的な伝送信号となる。これら伝送信号ＳＡａ、ＳＡｂは通信ケーブル１３６Ａ，１３８Ａによってサイト１０Ｃ側に伝送される。
【００３５】
さて、サイト１０Ａには上述した監視・制御対象機器群１００Ａを監視・制御するための端末装置（監視・制御用装置）２０Ａが設けられている。この１台の監視・制御用装置２０Ａによって映像信号の選択などを行う他、監視・制御対象機器群１００Ａからのステータス情報が収集される。このステータス情報は各監視・制御用映像関連機器（１０６Ａ等）の稼働状態であって、ステータス情報には各映像関連機器のエラー情報も含まれるものとする。
【００３６】
このようにサイト１０Ａは監視・制御対象機器群１００Ａと、それに対する監視・制御用装置２０Ａで構成されている。他のサイト１０Ｂおよび１０Ｃも同様に構成され、そしてこの例ではサイト１０Ａと１０Ｂからの各伝送信号ＳＡａ，ＳＡｂ，ＳＢａ，ＳＢｂがサイト１０Ｃでさらに多重され、多重された伝送信号ＳＣａ、ＳＣｂが最終目的であるサイト１０Ｄに向けて伝送される。この例ではサイト１０Ｂでは高精細度用および標準用ともそれぞれ１チャンネル分の映像信号が重畳されるようにした場合であるので、伝送信号ＳＣａ、ＳＣｂはそれぞれ３チャンネル分の映像信号で構成されている。
【００３７】
サイト１０Ｄでは多重伝送された伝送信号より個々の映像信号に分離して元の映像信号に戻してから目的の配信先に配信する。そのため、サイト１０Ｄはサイト１０Ａとは逆順の監視・制御対象機器群１００Ｄとなっている。
【００３８】
まず、受信した非同期の伝送信号ＳＣａ、ＳＣｂはデータ変換用のＮＩＵ１４０Ｄ，１４２Ｄにおいて高精細度および標準用ＭＰＥＧ信号に変換され、次にデマルチプレクサー１５０Ｄ、１５２Ｄにおいて多重された２チャンネル分の映像信号がそれぞれ単一チャンネル分の映像信号に分離されてからビデオスイッチャー（ＴＳＳＷ）１６０Ｄに供給される。このビデオスイッチャー１６０Ｄで完全にそれぞれの映像信号、つまり高精細度用の映像信号（３チャンネル分）と、標準用の映像信号（３チャンネル分）の各ストリーム信号に変換される。
【００３９】
ストリーム信号に変換された各々３チャンネル分の映像信号は対応するデコーダ（ＨＤ用とＳＤ用）１７０Ｄ〜１８０Ｄに供給されてＭＰＥＧ形式で圧縮された映像信号が誤り訂正を施されて元のストリーム信号に復元される。
【００４０】
そしてこの例ではこれらストリーム信号が一旦ビデオスイッチャー（ＴＳＳＷ）１９０Ｄに供給されて各出力端子に導出される。したがってこのビデオスイッチャー１９０Ｄより出力された高精細度用映像信号および標準用映像信号が目的のサイトに配信される。どのサイトにどの映像信号を配信するかは、このサイト１０Ｄに設けられた監視・制御用装置２０Ｄによって制御される。
【００４１】
各サイト１０Ａ〜１０Ｄに設けられた監視・制御用装置２０Ａ、２０Ｂ、２０Ｃ、２０Ｄはそれぞれ自サイトでのチャンネル制御や監視を行うが、これらはネットワークによって相互に接続されているので、自サイト以外のサイトを制御したり、監視することができる。
【００４２】
また、このように複数のサイトで情報伝送システム１０が構築されているときは、最終伝送サイト１０Ｄ側に設置されている監視・制御用装置２０Ｄがマスタとなって、それぞれのサイトを監視するシステムとして構築される場合が多いので、この例でも最終伝送サイト１０Ｄの監視・制御用装置２０Ｄに、外部制御機器２２が接続されている。
【００４３】
この外部制御機器２２は後述するように、監視・制御対象機器が異常状態（エラー）となったときシステム管理者などに異常を報知するための機器として利用される。例えば、回転式の警告灯（パトライト）などがこの外部制御機器２２に該当する。外部制御機器としては、この他に異常状態を他の部署に知らせるため電話の自動発呼装置などが考えられる。
【００４４】
ところで、この監視・制御用装置２０は上述したように監視・制御対象機器を制御したり、これらよりのステータス情報を収集してエラー状態を判別する機能に関連して、そのモニタ画面に情報伝送システム１０の各サイトおよび全体の系統図を表示することもできれば、エラー情報に対してユーザ独自のメッセージを追加するようなメッセージ追加機能や、外部制御機器２２の選択、制御のための実行条件の設定などを行う機能が付加されている。このうち代表的な機能としてメッセージ追加機能と外部機器設定機能がある。続いて、この代表的な機能に関する説明を図２以下を参照して行う。
【００４５】
メッセージ追加機能と外部機器設定機能は、何れもシステム設定メニューによって選択しながら設定されるものであって、図２はサイト１０Ａに設けられた全ての監視・制御対象機器（デバイス）と、それらに関するエラーリスト画面例（一部のみ図示）を示す。
【００４６】
エラーリスト画面を選択すると、図２に示すように、監視・制御対象機器に関連したエラーＩＤと、それに対応したエラー名称およびエラーメッセージがエラーリスト画面に表示される。例えば、エラーＩＤ「Msb0030001」は、「ファン停止」というエラーであって、そのメッセージとして「ファンが停止しました」が表示される。
【００４７】
この内容をシステム管理者が見ることで、どのデバイスの、何が、エラーを起こしているかを知ることができる。しかし、この例のエラー情報ではエラーの内容を直ちに判断できるが、これだけでは発生したエラーに対してどのように対処すべきか、その手法や対処方法は依然として不明である。そのため、エラーを個別的に選択して、そこに図３に示すように、ユーザ独自のメッセージを追加できるようにする。つまりユーザ定義メッセージを追加できるようにする。このユーザ定義メッセージはいわば発生したエラーに対する再定義メッセージ的な性格を有する。
【００４８】
上述した例で行けば、ファンが停止した場合、例えば「至急、施設の鈴木さんに連絡してください。」なるメッセージを追加しておけば、システム管理者は直ちに施設の鈴木さんに連絡をとって、善後策を打ち合わせることができる。これによって、迅速な復旧処理が可能になる。
【００４９】
ユーザ定義メッセージを追加すべきエラーは、ユーザが任意に選択することができるし、どのようなメッセージとするかもユーザ任せである。このユーザ定義メッセージはシステム設定（環境設定）の１ステップとして行われる。
【００５０】
監視・制御用装置２０では、さらにエラーが発生したとき、伝送システム管理棟内にエラー状態をできるだけ早く報知するため、その一手段として警告灯を常備しておき、特定のエラーが発生したときは緊急性を有するものとして警告灯を点灯させるような外部制御を行う。
【００５１】
これを実現するため、システム設定のうち環境設定の一環として外部制御機器の設定、エラー発生時の実行条件の設定処理などが行われる。図４にその一例を示す。
【００５２】
図４は、外部機器制御用の設定画面例であって、制御すべき外部機器としては、上述したように回転式の警告灯を例示する。監視・制御用装置２０には後述するように外部機器とのインタフェース部（パラレルインタフェース部）が設けられているので、制御出力デバイスは、このパラレルインタフェースとなる。パラレルインタフェースとしては、汎用性のあるＧＰＩ（General Purpose Interface）インタフェースが使用される。
【００５３】
このインタフェースに設けられた出力ポートのうち、この例では出力ポート７ピンに、回転式の警告灯（パトライト）に対する制御線（図示はしない）が接続されているので、制御出力を送出すべき出力ポートとして、アウト７ピンが設定される。そして、図４の例では、外部機器に対する動作タイミング（制御タイミング）は、エラー発生時と同時に設定されている。したがって、エラー発生と同時に回転式警告灯が点灯しながら回転駆動されることになる。なお、外部機器を制御するための制御出力は、後述するトリガーマネージャによって生成される。
【００５４】
図５は監視・制御用装置２０の一例を示す要部の系統図であって、コンピュータによって構成される。そのため、システム全体の制御を司る制御部（ＣＰＵ）３０を始めとして、上述したシステム設定メニューを用いてユーザ定義メッセージを設定したり、外部制御機器を指定したりするためのアプリケーション用ソフトウエアなどが格納されたメモリ手段（ＲＯＭ）３２，ワーキング用のメモリ手段（ＲＡＭ）３４、マウスやキーボードで構成された入力手段３６，ユーザ設定情報などを格納するためのメモリ手段３８などがバス４０に接続されて構成される。メモリ手段３８としては用途によって半導体メモリやハードディスクなどが併用される。
【００５５】
バス４０にはさらにＧＵＩ処理部４２，モニタ４４が接続される他、イーサネット（登録商標）などのネットワークがインタフェース４６を介して接続されている。また、外部機器などを制御するためのパラレルインタフェース５０が接続されている。端子（出力ポート）５０ａに外部機器である回転式警告灯が接続される。
【００５６】
この図５に示す監視・制御用装置２０は、監視・制御対象機器である複数の情報関連機器からのエラー情報の入力手段と、エラーメッセージが格納されたテーブルを照合して上記エラー情報に関連したエラーメッセージを出力する手段と、エラー情報とエラーメッセージをそれぞれ表示する手段と、特定のエラー情報に対するユーザ定義メッセージの設定手段とで構成される。
【００５７】
また、システム設定メニューを中心としたスレッド処理に限って説明すると、監視・制御装置２０Ｄに関するシステム設定処理部は図６のようにプロセッサスレッドとＧＵＩスレッドからなる。プロセッサスレッドにおいて、制御処理部（プロセッサ部）６０では、エラー発生時の処理や、監視・制御対象機器群（デバイス群）１００Ｄなどに対する全ての命令を行う。
【００５８】
プロバイダ部６２は、通信ケーブルによって結ばれた他のサイトに装備されたアプリケーションソフトウエアとの同期を行うためのモジュールで、具体的にはパケット処理や、データ、コマンドなどの同期処理が行われる。
【００５９】
データ部６４はデータ管理モジュールで、全てのデータがこのデータ部６４に格納される。図５のメモリ手段３８に相当する。データ部６４ではデータの管理が行われ、データの変化を監視しており、データに変化が生じたときには他のコンポーネントに対してトリガーを発行する機能を持っている。データ部６４は半導体メモリやハードディスクによって構成される。
【００６０】
デバイスアダプタ部６６は監視・制御対象機器群１００Ｄや外部機器用インタフェース５０と直接通信するモジュールである。仮想デバイス部６８は、監視・制御対象機器などと接続する部分を持たないが、この監視・制御対象機器などを監視・制御できるようにするためのインタフェースを実装している。直接管理する監視・制御対象機器かどうかを判断し、直接管理する機器であるときは、デバイスアダプタ部６６に命令を発行し、間接的に管理する機器であるときは、プロバイダ部６２に対して命令を発行する。トリガーマネージャ部７０は外部機器を制御するときに使用されるモジュールである。
【００６１】
プロセッサスレッドに関連して設けられたＧＵＩスレッドにあっても、プロバイダ部７２を介してデータ部７４が設けられている。このデータ部７４にも、先のデータ部６４に格納されたのと同じデータが格納されている。
【００６２】
仮想デバイス部７６は、プロバイダ部７２や、ＧＵＩコンポーネント部７８に対して命令を発行する。ＧＵＩコンポーネント部７８はＧＵＩ処理機能を有したモジュールである。ＧＵＩコンポーネント部７８にはモニタ４４が関連される。
【００６３】
このようなスレッド構成の監視・制御用装置２０Ｄのシステム設定に関連した処理例を図７以下を参照して説明する。
【００６４】
図７は伝送制御アプリケーションを起動したときの処理例を示すフローチャートであって、まず環境設定情報を読み込んで、該当するデータテーブルやメモリなどの初期化を行う（ステップ２０１）。その後、自サイトを含む伝送システム全体若しくは自サイトのみの系統図をＧＵＩ（監視ＧＵＩ）上に描画してモニタ４４に表示する（ステップ２０２）。この例では自サイトのみが表示されるようになされている。
【００６５】
系統図の表示処理が終了すると、次には該当するサイト（自サイト）内の監視・制御機器（監視対象機器）とのネットワーク接続が行われ、監視・制御機器の稼働状態をステータス情報として読み込む（ステップ２０３）。ステータス情報の読み込みが終わると、他のサイトに設けられた監視・制御機器とのネットワーク接続処理が行われてから（ステップ２０４）、自サイトでの各種制御処理および監視処理をスタートさせて初期化が終了する（ステップ２０５）。
【００６６】
図８はシステム設定処理例を示すもので、システム設定メニューの中からエラー設定メニューか外部機器に対する設定メニューを選択する（ステップ２１１）。
エラー設定メニューが選択されるとその設定メニューの中からエラーリスト画面を読み出し、監視すべき自サイトにおける監視・制御対象用の機器（エラーＩＤとして表示されているエラー名称）が抽出される（ステップ２１２）。エラー名称には上述したように予め設定されたエラーメッセージが付随している。
【００６７】
抽出・選択されたエラーリストの中から、今度はユーザが再定義すべきエラー名称を選択する（ステップ２１３）。選択したエラー名称に関するエラーメッセージに対し、さらにユーザ独自のメッセージが追加される。追加されることによって再定義されたこのメッセージがユーザ定義メッセージとなる（ステップ２１４）。ユーザ定義メッセージはデータ部６４と７４とに保存される。
【００６８】
このエラー情報に関しては環境設定項目の１つとしてテーブル化されて保存されているので、該当するエラー項目にリンクして上述したユーザ定義メッセージが追加、保存されることになる。
【００６９】
ユーザ定義メッセージの追加処理が終了すると、外部制御機器の設定処理に遷移する（ステップ２１５）。
エラーが発生したときこのエラー発生を周知させるために、サイト監視フロア内に回転式警告灯などを設置し、エラー発生と同時にこれを点灯させながら回転駆動させるようにして、監視・制御装置２０から離れた場所からでもエラーの発生を認識できるようにしている。
【００７０】
この回転式警告灯が監視・制御用装置２０にとっての外部制御機器に相当するものであり、この外部制御機器をどのように制御するかについてはユーザに全て委ねられている。そのため、その設定処理が行われる（ステップ２１６）。
【００７１】
この設定処理では対象となるエラー名称が指定され、指定されたエラー名称に関連して制御すべき外部機器を特定すると共に、特定された外部機器に対する実行条件（動作タイミング、動作期間、パラレルインタフェース５０のポート指定など）が入力され、上述したデータ部６４，７４に環境設定情報の一部として保存される。
【００７２】
以上の一連の処理でシステム設定処理が終了する。ユーザ定義メッセージや外部制御機器の設定処理などは、何れもシステム設定画面上で設定（環境設定）することで、これらのアプリケーションソフトウエア自体をカスタマイズしないでも運用できるようになり、汎用性、機動性、対応性、拡張性などが向上する。
【００７３】
図９はエラーメッセージなどの格納および表示処理例を示す。
プロセッサ部６０の指示によって、エラーが発生した監視・制御対象機器からエラー名称などのエラー情報をデバイスアダプタ部６６が取得する（ステップ２２１）。取得したエラー情報はデータ部６４に格納する（ステップ２２２）。
【００７４】
一方、仮想デバイス部（バーチャルデバイス部）６８は、デバイスアダプタ部６６から上述のエラー情報を取得すると共に、取得したこのエラー情報をプロセッサスレッド内のプロバイダ部６２を経由してＧＵＩスレッド内のデータ部７４に格納する（ステップ２２３，２２４）。
【００７５】
データ部７４へのエラー情報格納時、データ部７４内のメッセージテーブルを参照してメッセージテーブル内に格納されているエラー情報（少なくともエラーメッセージ）とユーザ定義メッセージとをリンクさせる（ステップ２２５）。上述したようにユーザ定義メッセージは同じデータテーブルにリンクさせて格納されているので、エラー名称によって、エラーメッセージとユーザ定義メッセージとを同時に読み出すことができる。
【００７６】
次に、ＧＵＩコンポーネント部７８は、エラー情報とこれにリンクしたユーザ定義メッセージをＧＵＩ上に描画して表示する（ステップ２２６）。そして、この例ではさらに系統図の該当個所（エラー発生個所）の表示色を警告色（例えば赤色）に切り替え表示すると共に、音声によるエラー報知を行う（ステップ２２７）。この処理を行うことでエラー発生を視覚的にも聴覚的にも認識できる。
【００７７】
図１０は、外部機器の制御例であって、トリガーマネージャ部７０は、対象となるエラー情報に対する、データ部６４に格納された対応するエラー情報を監視し（ステップ２３１）、両者が一致したときには、予め設定されている実行条件に応じた制御出力を生成してデバイスアダプタ部６６に出力する（ステップ２３２）。デバイスアダプタ部６６は実行条件によって指定されたパラレルインタフェース５０の対象ポートに制御信号を送出する（ステップ２３３）。この処理によって外部機器である回転式警告灯２２に回転駆動信号が供給され、この警告灯２２は点灯状態で所定時間だけ回転駆動される。回転駆動信号のリセットは手動で行ってもよい。
【産業上の利用可能性】
【００７８】
この発明は、特に監視対象機器が多い映像情報などの情報伝送システム系に適用して好適である。
【図面の簡単な説明】
【００７９】
【図１】この発明を適用できる情報伝送システムの一例を示す構成図である。
【図２】エラーリスト画面例を示す図である。
【図３】エラー再定義画面の表示例を示す図である。
【図４】外部機器制御用の設定画面の表示例を示す図である。
【図５】この発明に係る監視・制御用装置の一例を示す要部の系統図である。
【図６】この発明に係る監視・制御用装置を処理単位で表現したときの機能ブロック図である。
【図７】伝送制御アプリケーションの起動処理例を示すフローチャートである。
【図８】システム設定処理例を示すフローチャートである。
【図９】エラーメッセージの格納および表示処理例を示すフローチャートである。
【図１０】外部機器制御に対する処理例を示すフローチャートである。
【符号の説明】
【００８０】
１０・・・情報伝送システム
１０Ａ〜１０Ｄ・・・サイト
２０（２０Ａ〜２０Ｄ）・・・監視・制御装置
１００Ａ〜１００Ｄ・・・監視・制御対象機器群
１０６Ａ、１６０Ｄ、１９０Ｄ・・・ビデオスイッチャー
１１０Ａ〜１１６Ａ・・・エンコーダ
１２０Ａ、１２２Ａ・・・マルチプレクサー
１３０Ａ，１３２Ａ、１４０Ｄ、１４２Ｄ・・・ＮＩＵ
１５０Ｄ、１５２Ｄ・・・デマルチプレクサー
２２・・・外部制御機器
【図１】
2006221276.tif 000003
【図２】
2006221276.tif 000004
【図３】
2006221276.tif 000005
【図４】
2006221276.tif 000006
【図５】
2006221276.tif 000007
【図６】
2006221276.tif 000008
【図７】
2006221276.tif 000009
【図８】
2006221276.tif 000010
【図９】
2006221276.tif 000011
【図１０】
2006221276.tif 000012